(57)【要約】【課題】患者の服薬状況に関する情報を共有可能な服薬管理システムおよび服薬管理方法等を提供すること。【解決手段】服薬管理システム１は、個人識別情報と薬の処方情報と服薬履歴情報とを関連付けて記憶するサーバー装置４０と、第１端末装置１０と、第２端末装置２０と、第３端末装置３０と、を含み、第１端末装置１０は、個人識別情報と薬の処方情報とを関連付けてサーバー装置４０に送信し、第２端末装置２０は、個人識別情報に基づいてサーバー装置から薬の処方情報を取得し、取得した薬の処方情報に基づいて、ユーザーに服薬タイミングを通知する通知処理を行い、個人識別情報と服薬履歴情報とを関連付けて前記サーバー装置に送信し、第３端末装置３０は、個人識別情報に基づいてサーバー装置４０から薬の処方情報と服薬履歴情報とを関連付けて取得する。【選択図】図１
2016131001.tif 000002
【特許請求の範囲】
【請求項１】
個人識別情報と薬の処方情報と服薬履歴情報とを関連付けて記憶するサーバー装置と、第１端末装置と、第２端末装置と、第３端末装置と、
を含み、
前記第１端末装置は、
前記個人識別情報と前記薬の処方情報とを関連付けて前記サーバー装置に送信し、
前記第２端末装置は、
前記個人識別情報に基づいて前記サーバー装置から前記薬の処方情報を取得し、
取得した前記薬の処方情報に基づいて、ユーザーに服薬タイミングを通知する通知処理を行い、
前記個人識別情報と前記服薬履歴情報とを関連付けて前記サーバー装置に送信し、
前記第３端末装置は、
前記個人識別情報に基づいて前記サーバー装置から前記薬の処方情報と前記服薬履歴情報とを関連付けて取得する、服薬管理システム。
【請求項２】
請求項１に記載の服薬管理システムにおいて、
前記第１端末装置と前記第３端末装置とは、同一の装置である、服薬管理システム。
【請求項３】
請求項１または２に記載の服薬管理システムにおいて、
薬を前記ユーザーに運搬する運搬装置を含み、
前記第２端末装置は、前記通知処理において、
前記運搬装置に前記薬を運搬させる、服薬管理システム。
【請求項４】
請求項３に記載の服薬管理システムにおいて、
前記運搬装置は、前記服薬タイミングにおいて服薬対象となる薬の種類および量を表示する表示部を含む、服薬管理システム。
【請求項５】
個人識別情報と薬の処方情報と服薬履歴情報とを関連付けて記憶するサーバー装置と、第１端末装置と、第２端末装置と、第３端末装置と、を用いる服薬管理方法であって、
前記第１端末装置が、前記個人識別情報と前記薬の処方情報とを関連付けて前記サーバー装置に送信し、
前記第２端末装置が、前記個人識別情報に基づいて前記サーバー装置から前記薬の処方情報を取得し、
前記第２端末装置が、取得した前記薬の処方情報に基づいて、ユーザーに服薬タイミングを通知する通知処理を行い、
前記第２端末装置が、前記個人識別情報と前記服薬履歴情報とを関連付けて前記サーバー装置に送信し、
前記第３端末装置が、前記個人識別情報に基づいて前記サーバー装置から前記薬の処方情報と前記服薬履歴情報とを関連付けて取得する、服薬管理方法。
【請求項６】
請求項５に記載の服薬管理方法において、
前記第１端末装置と前記第３端末装置とは、同一の装置である、服薬管理方法。
【請求項７】
請求項５または６に記載の服薬管理方法において、
薬を前記ユーザーに運搬する運搬装置をさらに用い、
前記第２端末装置が、前記通知処理において、前記運搬装置に前記薬を運搬させる、服薬管理方法。
【請求項８】
請求項７に記載の服薬管理方法において、
前記運搬装置は、前記服薬タイミングにおいて服薬対象となる薬の種類および量を表示する表示部を含む、服薬管理方法。
【請求項９】
個人識別情報と関連付けた薬の処方情報の入力を受け付ける入力部と、
前記個人識別情報と前記薬の処方情報とを関連付けてサーバー装置に送信する通信部と、
を有する第１端末装置であって、
前記サーバー装置は、
前記第１端末装置から取得した、前記個人識別情報と前記薬の処方情報と服薬履歴情報とを関連付けて記憶し、
第２端末装置からの前記個人識別情報を伴う求めに応じて前記薬の処方情報を送信し、
前記第２端末装置から取得した前記個人識別情報と関連付けて取得した前記服薬履歴情報を記憶し、
第３端末装置からの前記個人識別情報を伴う求めに応じて前記薬の処方情報と前記服薬履歴情報送信する、
第１端末装置。
【請求項１０】
個人識別情報の入力を受け付ける入力部と、
前記個人識別情報に基づいてサーバー装置から薬の処方情報を取得する取得部と、
取得した前記薬の処方情報に基づいて、ユーザーに服薬タイミングを通知する通知処理を行う通知部と、
前記個人識別情報と服薬履歴情報とを関連付けて前記サーバー装置に送信する通信部と、
を有する第２端末装置であって、
前記サーバー装置は、
第１端末装置から取得した、前記個人識別情報と前記薬の処方情報と服薬履歴情報とを関連付けて記憶し、
第３端末装置からの前記個人識別情報を伴う求めに応じて前記薬の処方情報と前記服薬履歴情報送信する、
第２端末装置。
【請求項１１】
個人識別情報の入力を受け付ける入力部と、
前記個人識別情報に基づいてサーバー装置から薬の処方情報と服薬履歴情報とを関連付けて取得す取得部と、
を有する第３端末装置であって、
前記サーバー装置は、
第１端末装置から取得した、前記個人識別情報と前記薬の処方情報と服薬履歴情報とを関連付けて記憶し、
第２端末装置からの前記個人識別情報を伴う求めに応じて前記薬の処方情報を送信し、
前記第２端末装置から取得した前記個人識別情報と関連付けて取得した前記服薬履歴情報を記憶する、
第３端末装置。
【発明の詳細な説明】
【技術分野】
【０００１】
本発明は、服薬管理システム、服薬管理方法および端末装置等に関する。
【背景技術】
【０００２】
患者の服薬を支援したり患者の服薬状況を管理したりするためのシステムが様々提案されている。
【０００３】
例えば、特許文献１には、調剤薬局等がＩＣカードに書き込まれた処方箋データに基づいて調剤を行い、服薬時刻になると端末が服薬時刻である旨を患者に報知する、可搬型記憶媒体および薬服用報知装置が開示されている。
【０００４】
また例えば、特許文献２には、患者に服薬時刻であることを報知し、患者は服薬したことを登録する在宅診療支援システムが開示されている。
【先行技術文献】
【特許文献】
【０００５】
【特許文献１】特開２００５−１２４９９１号公報
【特許文献２】特開２０１１−２２１６２３号公報
【発明の概要】
【発明が解決しようとする課題】
【０００６】
特許文献１および特許文献２においては、患者の服薬状況に関する情報を、医療機関や調剤薬局等で共有することはできなかった。
【０００７】
本発明は、以上のような技術的課題に鑑みてなされたものである。本発明のいくつかの態様によれば、患者の服薬状況に関する情報を共有可能な服薬管理システム、服薬管理方法および端末装置等を提供することができる。
【課題を解決するための手段】
【０００８】
本発明は前述の課題の少なくとも一部を解決するためになされたものであり、以下の態様または適用例として実現することが可能である。
【０００９】
［適用例１］
本適用例に係る服薬管理システムは、
個人識別情報と薬の処方情報と服薬履歴情報とを関連付けて記憶するサーバー装置と、第１端末装置と、第２端末装置と、第３端末装置と、
を含み、
前記第１端末装置は、
前記個人識別情報と前記薬の処方情報とを関連付けて前記サーバー装置に送信し、
前記第２端末装置は、
前記個人識別情報に基づいて前記サーバー装置から前記薬の処方情報を取得し、
取得した前記薬の処方情報に基づいて、ユーザーに服薬タイミングを通知する通知処理を行い、
前記個人識別情報と前記服薬履歴情報とを関連付けて前記サーバー装置に送信し、
前記第３端末装置は、
前記個人識別情報に基づいて前記サーバー装置から前記薬の処方情報と前記服薬履歴情報とを関連付けて取得する、服薬管理システムである。
【００１０】
本適用例によれば、例えばユーザー（患者）が服薬履歴情報を入力する第２端末装置とは異なる第３端末装置で服薬履歴情報を取得できるので、ユーザー（患者）の服薬状況に関する情報を共有可能な服薬管理システムを実現できる。また、第２端末装置がユーザー（患者）に服薬タイミングを通知することによって、適切なタイミングでの服薬をユーザー（患者）に促すことができる。
【００１１】
［適用例２］
上述の服薬管理システムにおいて、
前記第１端末装置と前記第３端末装置とは、同一の装置であってもよい。
【００１２】
本適用例によれば、例えば医師が処方情報を入力する端末装置で服薬履歴情報を取得できるので、ユーザー（患者）の服薬状況に関する情報を共有可能な服薬管理システムを実現できる。
【００１３】
［適用例３］
上述の服薬管理システムにおいて、
薬を前記ユーザーに運搬する運搬装置を含み、
前記第２端末装置は、前記通知処理において、
前記運搬装置に前記薬を運搬させてもよい。
【００１４】
これによって、例えば歩行が困難なユーザー（患者）に対しても適切なタイミングでの服薬を促すことができる。
【００１５】
［適用例４］
上述の服薬管理システムにおいて、
前記運搬装置は、前記服薬タイミングにおいて服薬対象となる薬の種類および量を表示する表示部を含んでもよい。
【００１６】
これによって、適切なタイミングで適切な種類および量での服薬をユーザー（患者）に促すことができる。
【００１７】
［適用例５］
本適用例に係る服薬管理方法は、
個人識別情報と薬の処方情報と服薬履歴情報とを関連付けて記憶するサーバー装置と、第１端末装置と、第２端末装置と、第３端末装置と、を用いる服薬管理方法であって、
前記第１端末装置が、前記個人識別情報と前記薬の処方情報とを関連付けて前記サーバー装置に送信し、
前記第２端末装置が、前記個人識別情報に基づいて前記サーバー装置から前記薬の処方情報を取得し、
前記第２端末装置が、取得した前記薬の処方情報に基づいて、ユーザーに服薬タイミングを通知する通知処理を行い、
前記第２端末装置が、前記個人識別情報と前記服薬履歴情報とを関連付けて前記サーバー装置に送信し、
前記第３端末装置が、前記個人識別情報に基づいて前記サーバー装置から前記薬の処方情報と前記服薬履歴情報とを関連付けて取得する、服薬管理方法である。
【００１８】
本適用例によれば、例えばユーザー（患者）が服薬履歴情報を入力する第２端末装置とは異なる第３端末装置で服薬履歴情報を取得できるので、ユーザー（患者）の服薬状況に関する情報を共有可能な服薬管理方法を実現できる。また、第２端末装置がユーザー（患者）に服薬タイミングを通知することによって、適切なタイミングでの服薬をユーザー（患者）に促すことができる。
【００１９】
［適用例６］
上述の服薬管理方法において、
前記第１端末装置と前記第３端末装置とは、同一の装置であってもよい。
【００２０】
本適用例によれば、例えば医師が処方情報を入力する端末装置で服薬履歴情報を取得できるので、ユーザー（患者）の服薬状況に関する情報を共有可能な服薬管理方法を実現できる。
【００２１】
［適用例７］
上述の服薬管理方法において、
薬を前記ユーザーに運搬する運搬装置をさらに用い、
前記第２端末装置が、前記通知処理において、前記運搬装置に前記薬を運搬させてもよい。
【００２２】
これによって、例えば歩行が困難なユーザー（患者）に対しても適切なタイミングでの服薬を促すことができる。
【００２３】
［適用例８］
上述の服薬管理方法において、
前記運搬装置は、前記服薬タイミングにおいて服薬対象となる薬の種類および量を表示する表示部を含んでもよい。
【００２４】
これによって、適切なタイミングで適切な種類および量での服薬をユーザー（患者）に促すことができる。
【００２５】
［適用例９］
本適用例に係る端末装置は、
個人識別情報と関連付けた薬の処方情報の入力を受け付ける入力部と、
前記個人識別情報と前記薬の処方情報とを関連付けてサーバー装置に送信する通信部と、
を有する第１端末装置であって、
前記サーバー装置は、
前記第１端末装置から取得した、前記個人識別情報と前記薬の処方情報と服薬履歴情報とを関連付けて記憶し、
第２端末装置からの前記個人識別情報を伴う求めに応じて前記薬の処方情報を送信し、
前記第２端末装置から取得した前記個人識別情報と関連付けて取得した前記服薬履歴情報を記憶し、
第３端末装置からの前記個人識別情報を伴う求めに応じて前記薬の処方情報と前記服薬履歴情報送信する、
第１端末装置である。
【００２６】
［適用例１０］
本適用例に係る端末装置は、
個人識別情報の入力を受け付ける入力部と、
前記個人識別情報に基づいてサーバー装置から薬の処方情報を取得する取得部と、
取得した前記薬の処方情報に基づいて、ユーザーに服薬タイミングを通知する通知処理を行う通知部と、
前記個人識別情報と服薬履歴情報とを関連付けて前記サーバー装置に送信する通信部と、
を有する第２端末装置であって、
前記サーバー装置は、
第１端末装置から取得した、前記個人識別情報と前記薬の処方情報と服薬履歴情報とを関連付けて記憶し、
第３端末装置からの前記個人識別情報を伴う求めに応じて前記薬の処方情報と前記服薬履歴情報送信する、
第２端末装置である。
【００２７】
［適用例１１］
本適用例に係る端末装置は、
個人識別情報の入力を受け付ける入力部と、
前記個人識別情報に基づいてサーバー装置から薬の処方情報と服薬履歴情報とを関連付けて取得す取得部と、
を有する第３端末装置であって、
前記サーバー装置は、
第１端末装置から取得した、前記個人識別情報と前記薬の処方情報と服薬履歴情報とを関連付けて記憶し、
第２端末装置からの前記個人識別情報を伴う求めに応じて前記薬の処方情報を送信し、
前記第２端末装置から取得した前記個人識別情報と関連付けて取得した前記服薬履歴情報を記憶する、
第３端末装置である。
【００２８】
これらの適用例によれば、例えばユーザー（患者）が服薬履歴情報を入力する第２端末装置とは異なる第３端末装置で服薬履歴情報を取得できるので、ユーザー（患者）の服薬状況に関する情報を共有可能な服薬管理システムを実現できる。また、第２端末装置がユーザー（患者）に服薬タイミングを通知することによって、適切なタイミングでの服薬をユーザー（患者）に促すことができる。
【図面の簡単な説明】
【００２９】
【図１】本実施形態に係る服薬管理システム１の全体構成を示す機能ブロック図である。
【図２】サーバー装置４０の構成を示す機能ブロック図である。
【図３】第１端末装置１０の構成を示す機能ブロック図である。
【図４】第２端末装置２０の構成を示す機能ブロック図である。
【図５】第３端末装置３０の構成を示す機能ブロック図である。
【図６】端末装置１０ａの構成を示す機能ブロック図である。
【図７】運搬装置５０の構成を示す機能ブロック図である。
【図８】本実施形態に係る服薬管理方法の概要を示すフローチャートである。
【図９】第１端末装置１０の動作例を示すフローチャートである。
【図１０】第２端末装置２０の動作例を示すフローチャートである。
【図１１】通知処理における第２端末装置２０の表示例を示す図である。
【図１２】第３端末装置３０の動作例を示すフローチャートである。
【図１３】第３端末装置３０の表示例を示す図である。
【図１４】サーバー装置４０の動作例を示すフローチャートである。
【図１５】図１５（Ａ）および図１５（Ｂ）は、運搬装置５０の外観を示す図である。
【発明を実施するための形態】
【００３０】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００３１】
１．全体構成
図１は、本実施形態に係る服薬管理システム１の全体構成を示す機能ブロック図である。
【００３２】
本実施形態に係る服薬管理システム１は、第１端末装置１０、第２端末装置２０、第３端末装置３０およびサーバー装置４０を含んで構成されている。また、服薬管理システム１は、運搬装置５０をさらに含んでもよい。
【００３３】
以下に説明される例では、第１端末装置１０のユーザーが病院の医師または入力担当者、第２端末装置２０のユーザーが患者、第３端末装置３０のユーザーが患者に対して訪問介護を行う介護福祉士である場合について説明する。
【００３４】
第１端末装置１０、第２端末装置２０および第３端末装置３０とサーバー装置４０とは、通信ネットワーク６０を介して通信可能に構成されている。通信ネットワーク６０は、有線通信であっても、無線通信であっても、これらの組み合わせであってもよい。
【００３５】
図２は、サーバー装置４０の構成を示す機能ブロック図である。サーバー装置４０は、記憶部４１と通信部４２とを含んで構成されている。図２に示される各機能ブロックの少なくとも一部は、不図示のＣＰＵ（Central Processing Unit）によって実行されるプログラムで実現されていてもよい。
【００３６】
記憶部４１は、個人識別情報と薬の処方情報と服薬履歴情報とを関連付けて記憶する。記憶部４１に記憶される情報の具体例については「２．動作例」の項で後述される。
【００３７】
通信部４２は、通信ネットワーク６０を介して第１端末装置１０、第２端末装置２０および第３端末装置３０との間で情報の送受信を行う。
【００３８】
図３は、第１端末装置１０の構成を示す機能ブロック図である。第１端末装置１０は、入力部１１と通信部１２とを含んで構成されている。また、第１端末装置１０は、表示部１３をさらに含んで構成されていてもよい。図３に示される各機能ブロックの少なくとも一部は、不図示のＣＰＵ（Central Processing Unit）によって実行されるプログラムで実現されていてもよい。
【００３９】
入力部１１は、個人識別情報と薬の処方情報との入力を受け付ける。入力部１１で受け付ける情報の具体例については「２．動作例」の項で後述される。
【００４０】
通信部１２は、通信ネットワーク６０を介してサーバー装置４０との間で情報の送受信を行う。通信部１２は、入力部１１で受け付けた個人識別情報と薬の処方情報とを関連付けてサーバー装置４０に送信する。
【００４１】
表示部１３は、入力部１１の入力内容や、各種メッセージ等を表示する。表示部１３としては、種々の公知の表示装置を採用できる。
【００４２】
図４は、第２端末装置２０の構成を示す機能ブロック図である。第２端末装置２０は、取得部２１と通知部２２と入力部２３と通信部２４とを含んで構成されている。図４に示される各機能ブロックの少なくとも一部は、不図示のＣＰＵ（Central Processing Unit）によって実行されるプログラムで実現されていてもよい。
【００４３】
取得部２１は、個人識別情報に基づいてサーバー装置４０から薬の処方情報を取得する。本実施形態においては、取得部２１は通信部２４を介してサーバー装置４０から情報を取得する。取得部２１で用いる個人識別情報は、ユーザーによって都度入力されてもよいし、一度入力された情報を記憶しておいてもよい。また、情報の取得の際には、サーバー装置４０においてアクセス権の確認処理を行ってもよい。
【００４４】
通知部２２は、取得部２１が取得した薬の処方情報に基づいて、ユーザー（患者）に服薬タイミングを通知する通知処理を行う。通知の方法としては、例えば音声、光、表示、振動および運搬装置５０の制御（運搬装置５０に薬を運搬させる、運搬装置５０に服薬タイミングにおいて服薬対象となる薬の種類および量を表示させる）等を採用できる。
【００４５】
入力部２３は、ユーザーの服薬履歴に関する情報である服薬履歴情報の入力を受け付ける。入力部２３で受け付ける情報の具体例については「２．動作例」の項で後述される。
【００４６】
通信部２４は、通信ネットワーク６０を介してサーバー装置４０との間で情報の送受信を行う。通信部２４は、個人識別情報と入力部２３で受け付けた服薬履歴情報とを関連付けてサーバー装置４０に送信する。
【００４７】
図５は、第３端末装置３０の構成を示す機能ブロック図である。第３端末装置３０は、入力部３１と取得部３２と表示部３３と通信部３４とを含んで構成されている。図５に示される各機能ブロックの少なくとも一部は、不図示のＣＰＵ（Central Processing Unit）によって実行されるプログラムで実現されていてもよい。
【００４８】
入力部３１は、個人識別情報の入力を受け付ける。受け付けた個人識別情報は、取得部３２において用いられる。
【００４９】
取得部３２は、入力部３１で受け付けた個人識別情報に基づいて、サーバー装置４０から薬の処方情報と服薬履歴情報とを関連付けて取得する。本実施形態においては、取得部３２は、通信部３４を介してサーバー装置４０から情報を取得する。取得部３２で用いる個人識別情報は、ユーザーによって都度入力されてもよいし、一度入力された情報を記憶しておいてもよい。また、情報の取得の際には、サーバー装置４０においてアクセス権の確認処理を行ってもよい。
【００５０】
表示部３３は、取得部３２で取得した薬の処方情報と服薬履歴情報とを関連付けて表示する。表示部３３における表示の具体例については「２．動作例」の項で後述される。
【００５１】
通信部３４は、通信ネットワーク６０を介してサーバー装置４０との間で情報の送受信を行う。
【００５２】
上述の第１端末装置１０と第３端末装置３０とは、同一の（１つの）装置である端末装置１０ａで実現されていてもよい。
【００５３】
図６は、端末装置１０ａの構成を示す機能ブロック図である。図３に示される第１端末装置１０および図５に示される第３端末装置３０と同様の構成には同一の符号を付し、詳細な説明を省略する。図６に示される各機能ブロックの少なくとも一部は、不図示のＣＰＵ（Central Processing Unit）によって実行されるプログラムで実現されていてもよい。
【００５４】
端末装置１０ａは、入力部１１ａ、取得部３２、表示部３３および通信部１２ａを含んで構成されている。
【００５５】
入力部１１ａは、個人識別情報と薬の処方情報との入力を受け付ける。入力部１１ａで受け付ける情報の具体例については「２．動作例」の項で後述される。
【００５６】
取得部３２は、入力部１１ａで受け付けた個人識別情報に基づいて、サーバー装置４０から薬の処方情報と服薬履歴情報とを関連付けて取得する。本実施形態においては、取得部３２は、通信部１２ａを介してサーバー装置４０から情報を取得する。
【００５７】
通信部１２ａは、通信ネットワーク６０を介してサーバー装置４０との間で情報の送受信を行う。通信部１２ａは、入力部１１ａで受け付けた個人識別情報と薬の処方情報とを関連付けてサーバー装置４０に送信する。
【００５８】
本実施形態によれば、例えば医師が処方情報を入力する端末装置１０ａで服薬履歴情報を取得できるので、ユーザー（患者）の服薬状況に関する情報を共有可能な服薬管理システム１を実現できる。
【００５９】
図７は、運搬装置５０の構成を示す機能ブロック図である。運搬装置５０は、運搬部５１と表示部５２と通信部５３とを含んで構成されている。図７に示される各機能ブロックの少なくとも一部は、不図示のＣＰＵ（Central Processing Unit）によって実行されるプログラムで実現されていてもよい。
【００６０】
運搬部５１は、服薬タイミングにおいて、薬をユーザー（患者）に運搬する。本実施形態においては、運搬部５１は、服薬タイミングに関する情報を、通信部５３を介して第２端末装置２０から取得する。運搬部５１は、第２端末装置２０の位置情報や第２端末装置２０までの方位および距離の情報を取得して、第２端末装置２０に近づくように移動してもよい。第２端末装置２０はユーザー（患者）の近くにあると想定されるので、このような構成によって簡易な構成でユーザー（患者）に薬を運搬することができる。
【００６１】
表示部５２は、服薬タイミングにおいて服薬対象となる薬の種類および量を表示する。本実施形態においては、表示部５２は、服薬対象となる薬の種類および量に関する情報を、通信部５３を介して第２端末装置２０から取得する。運搬装置５０が表示部５２を有することによって、例えば適切なタイミングで適切な種類および量での服薬をユーザー（患者）に促すことができる。
【００６２】
通信部５３は、第２端末装置２０との間で情報の受信を行う。通信部５３は、第２端末装置２０から、例えば、服薬タイミングに関する情報、服薬対象となる薬の種類および量に関する情報、第２端末装置２０の位置情報や第２端末装置２０までの方位および距離の情報等を受信する。通信部５３で受信した情報に基づいて、運搬部５１および表示部５２が上述の動作を行う。
【００６３】
服薬管理システム１が運搬装置５０を有することによって、例えば歩行が困難なユーザー（患者）に対しても適切なタイミングでの服薬を促すことができる。
【００６４】
２．動作例
図８は、本実施形態に係る服薬管理方法の概要を示すフローチャートである。以下では、上述の服薬管理システム１を用いて服薬管理方法を実現する場合を例に説明する。
【００６５】
本実施形態に係る服薬管理方法は、個人識別情報と薬の処方情報と服薬履歴情報とを関連付けて記憶するサーバー装置４０と、第１端末装置１０と、第２端末装置２０と、第３端末装置３０と、を用いる服薬管理方法であって、第１端末装置１０が、個人識別情報と薬の処方情報とを関連付けてサーバー装置４０に送信し（ステップＳ１００）、第２端末装置２０が、個人識別情報に基づいてサーバー装置４０から薬の処方情報を取得し（ステップＳ１０２）、第２端末装置２０が、取得した薬の処方情報に基づいて、ユーザーに服薬タイミングを通知する通知処理を行い（ステップＳ１０４）、第２端末装置２０が、個人識別情報と服薬履歴情報とを関連付けてサーバー装置４０に送信し（ステップＳ１０６）、第３端末装置３０が、個人識別情報に基づいてサーバー装置４０から薬の処方情報と服薬履歴情報とを関連付けて取得する（ステップＳ１０８）、服薬管理方法である。
【００６６】
図９は、第１端末装置１０の動作例を示すフローチャートである。図９に示される動作は、図８のステップＳ１００に対応する。第１端末装置１０のユーザーは、病院の医師または入力担当者である。
【００６７】
図９に示される例では、まず、入力部１１が、個人識別情報と薬の処方情報との入力を受け付ける（ステップＳ２００）。個人識別情報は、例えば、入力部１１としてのキーボード、タッチパネル、バーコードリーダー等によって入力されてもよい。薬の処方情報には、例えば、服薬タイミング（朝、昼、夜、食前、食後、就寝前等）に関する情報、薬の種類に関する情報、薬の量に関する情報、服薬日数に関する情報等が含まれていてもよい。
【００６８】
ステップＳ２００の後に、通信部１２が、入力部１１で受け付けた個人識別情報と薬の処方情報とを関連付けてサーバー装置４０に送信する（ステップＳ２０２）。
【００６９】
図１０は、第２端末装置２０の動作例を示すフローチャートである。図１０に示される動作は、図８のステップＳ１０２〜ステップＳ１０６に対応する。第２端末装置２０のユーザーは、患者である。
【００７０】
図１０に示される例では、まず、取得部２１が、個人識別情報に基づいてサーバー装置４０から薬の処方情報を取得する（ステップＳ３００）。より具体的には、取得部２１は、個人識別情報とアクセス権の認証情報とをサーバー装置４０に送信し、サーバー装置４０によってアクセス権が認証された後に、サーバー装置４０から薬の処方情報を取得する。
【００７１】
ステップＳ３００の後に、通知部２２が、取得部２１が取得した薬の処方情報に基づいて、ユーザー（患者）に服薬タイミングを通知する通知処理を行う（ステップＳ３０２）。
【００７２】
図１１は、通知処理における第２端末装置２０の表示例を示す図である。図１１に示される例では、通知部２２としての表示装置に、患者名（ユーザー名）、薬の種類、薬の量等が表示されている。
【００７３】
ステップＳ３０２後に、入力部２３が、ユーザーの服薬履歴に関する情報である服薬履歴情報の入力を受け付ける（ステップＳ３０４）。図１１に示されるように、入力部２３がタッチパネルで構成されている表示装置（通知部２２としての機能を兼ねている表示装置）である場合には、通知処理における表示に、服薬履歴の入力を受け付けるボタン表示を合わせて行ってもよい。また、入力部２３は、服薬履歴に加えて、ユーザーの体調や訪問介護の希望等の情報の入力を受け付けてもよい。
【００７４】
ステップＳ３０４後に、通信部２４が、個人識別情報と入力部２３で受け付けた服薬履歴情報とを関連付けてサーバー装置４０に送信する（ステップＳ３０６）。
【００７５】
図１２は、第３端末装置３０の動作例を示すフローチャートである。図１２に示される動作は、図８のステップＳ１０８に対応する。第３端末装置３０のユーザーは、訪問介護士である。
【００７６】
図１０に示される例では、まず、入力部３１が、個人識別情報の入力を受け付ける（ステップＳ４００）。
【００７７】
ステップＳ４００後に、取得部３２が、入力部３１で受け付けた個人識別情報に基づいて、サーバー装置４０から薬の処方情報と服薬履歴情報とを関連付けて取得する（ステップＳ４０２）。より具体的には、取得部２１は、個人識別情報とアクセス権の認証情報とをサーバー装置４０に送信し、サーバー装置４０によってアクセス権が認証された後に、サーバー装置４０から薬の処方情報と服薬履歴情報とを関連付けて取得する。
【００７８】
ステップＳ４０２後に、表示部３３は、取得部３２で取得した薬の処方情報と服薬履歴情報とを関連付けて表示する（ステップＳ４０４）。
【００７９】
図１３は、第３端末装置３０の表示例を示す図である。図１３に示される例では、１日３回服用する薬について、３回飲んだ場合を◎、１回飲み忘れた場合（２回飲んだ場合）を○、２回飲み忘れた場合（１回飲んだ場合）を△、服薬しなかった場合（１回も飲まなかった場合）を×で表し、過去４週間分に亘って表示している。このように表示することで、例えば、直近の３日間は飲み忘れが続いていること等、患者の服薬状況を容易に把握することができる。
【００８０】
図１４は、サーバー装置４０の動作例を示すフローチャートである。図１４に示される動作は、図８のステップＳ１００、ステップＳ１０６およびステップＳ１０８に対応する。
【００８１】
まず、通信部４２が、第１端末装置１０から、個人識別情報と薬の処方情報とを関連付けて受信する（ステップＳ５００）。
【００８２】
ステップＳ５００の後に、記憶部４１が、個人識別情報と薬の処方情報とを関連付けて記憶する（ステップＳ５０２）。
【００８３】
ステップＳ５０２の後に、通信部４２が、第２端末装置２０を認証して、受信した個人識別情報に対応する薬の処方情報を第２端末装置２０に送信する（ステップＳ５０４）。
【００８４】
ステップＳ５０４の後に、通信部４２が、第２端末装置２０から、個人識別情報と服薬履歴情報とを関連付けて受信する（ステップＳ５０６）。
【００８５】
ステップＳ５０６の後に、記憶部４１が、個人識別情報と服薬履歴情報とを関連付けて記憶する（ステップＳ５０８）。
【００８６】
ステップＳ５０８の後に、通信部４２が、第３端末装置３０を認証して、受信した個人識別情報に対応する服薬履歴情報を第３端末装置３０に送信する（ステップＳ５１０）。
【００８７】
本実施形態によれば、例えばユーザー（患者）が服薬履歴情報を入力する第２端末装置２０とは異なる第３端末装置３０で服薬履歴情報を取得できるので、ユーザー（患者）の服薬状況に関する情報を共有可能な服薬管理システム１および服薬管理方法を実現できる。また、第２端末装置２０がユーザー（患者）に服薬タイミングを通知することによって、適切なタイミングでの服薬をユーザー（患者）に促すことができる。
【００８８】
上述の第１端末装置１０と第３端末装置３０とは、同一の（１つの）装置である端末装置１０ａで実現されていてもよい。すなわち、第１端末装置１０と第３端末装置３０とに代えて、図６に示す端末装置１０ａを用い、端末装置１０ａが図９および図１２に示す動作を行ってもよい。
【００８９】
本実施形態によれば、例えば医師が処方情報を入力する端末装置１０ａで服薬履歴情報を取得できるので、ユーザー（患者）の服薬状況に関する情報を共有可能な服薬管理システム１および服薬管理方法を実現できる。
【００９０】
上述の服薬管理方法において、薬を前記ユーザーに運搬する運搬装置５０をさらに用い、第２端末装置２０が、通知処理（図８のステップＳ１０４および図１０のステップＳ３０２）において、運搬装置５０に薬を運搬させてもよい。
【００９１】
これによって、例えば歩行が困難なユーザー（患者）に対しても適切なタイミングでの服薬を促すことができる。
【００９２】
図１５（Ａ）および図１５（Ｂ）は、運搬装置５０の外観を示す図である。図１５（Ａ）は、運搬装置５０としての犬型ロボットを示している。図１５（Ｂ）は、運搬装置５０としての人型ロボットを示している。
【００９３】
運搬装置５０は、服薬タイミングにおいて服薬対象となる薬の種類および量を表示する表示部５２と、薬を収容する薬収容部５４と、を有している。
【００９４】
運搬装置５０が表示部５２を有することによって、適切なタイミングで適切な種類および量での服薬をユーザー（患者）に促すことができる。
【００９５】
運搬装置５０は、薬を包装や容器等から取り出してユーザー（患者）に渡してもよい。これによって、患者の筋力が低下している場合においても、服薬を患者に促すことができる。
【００９６】
運搬装置５０は、薬を砕いてユーザー（患者）に渡してもよい。これによって、嚥下障害の患者にとって薬が飲みやすくなるので、服薬を患者に促すことができる。
【００９７】
以上、本実施形態あるいは変形例について説明したが、本発明はこれら本実施形態あるいは変形例に限られるものではなく、その要旨を逸脱しない範囲において種々の態様で実施することが可能である。
【００９８】
本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００９９】
１…服薬管理システム、１０…第１端末装置、１０ａ…端末装置、１１，１１ａ…入力部、１２，１２ａ…通信部、１３…表示部、２０…第２端末装置、２１…取得部、２２…通信部、２３…入力部、２４…通信部、３０…第３端末装置、３１…入力部、３２…取得部、３３…表示部、３４…通信部、４０…サーバー装置、４１…記憶部、４２…通信部、５０…運搬装置、５１…運搬部、５２…表示部、５３…通信部、５４…薬収容部、６０…通信ネットワーク
【図１】
2016131001.tif 000003
【図２】
2016131001.tif 000004
【図３】
2016131001.tif 000005
【図４】
2016131001.tif 000006
【図５】
2016131001.tif 000007
【図６】
2016131001.tif 000008
【図７】
2016131001.tif 000009
【図８】
2016131001.tif 000010
【図９】
2016131001.tif 000011
【図１０】
2016131001.tif 000012
【図１１】
2016131001.tif 000013
【図１２】
2016131001.tif 000014
【図１３】
2016131001.tif 000015
【図１４】
2016131001.tif 000016
【図１５】
2016131001.tif 000017